(57)【要約】【課題】通信部に未接続の鍵装置と通信部とが接続する処理の応答性を向上させる。【解決手段】電気錠用通信システム４は、通信部（錠側通信部４１）と、管理部４３と、を備える。通信部には、無線にて第１の台数以下の複数の鍵装置５が同時に接続可能である。管理部４３は、通信部に接続されている鍵装置５の台数が、第２の台数に達したとき、通信部に、通信部に接続されている第２の台数の鍵装置５のうち少なくとも１つの対象鍵装置との接続を切断させる。【選択図】図１
2019116812.tif 000002
【特許請求の範囲】
【請求項１】
無線にて第１の台数以下の複数の鍵装置が同時に接続可能な通信部と、
前記通信部に接続されている前記鍵装置の台数が、２以上であって前記第１の台数以下の第２の台数に達したとき、前記通信部に、前記通信部に接続されている前記第２の台数の前記鍵装置のうち少なくとも１つの対象鍵装置との接続を切断させる管理部と、を備える
電気錠用通信システム。
【請求項２】
前記少なくとも１つの対象鍵装置を所定の条件により決定する決定部を更に備える
請求項１記載の電気錠用通信システム。
【請求項３】
前記所定の条件は、前記通信部に接続されている前記第２の台数の前記鍵装置の各々における、前記鍵装置から送信され前記通信部で受信される信号の受信強度と、前記通信部から送信され前記鍵装置で受信される信号の受信強度とのうち少なくとも一方に関する条件である
請求項２記載の電気錠用通信システム。
【請求項４】
前記所定の条件は、前記通信部に接続されている前記第２の台数の前記鍵装置の各々における、前記通信部に接続されてからの経過時間に関する条件である
請求項２又は３に記載の電気錠用通信システム。
【請求項５】
前記鍵装置は、電気錠を動作させるための指令信号を前記通信部に送信し、
前記所定の条件は、前記通信部に接続されている前記第２の台数の前記鍵装置の各々からの前記指令信号により前記電気錠が動作させられたか否かに関する条件である
請求項２〜４のいずれか一項に記載の電気錠用通信システム。
【請求項６】
前記管理部は、前記通信部に接続されている前記鍵装置の台数が前記第２の台数に達してから所定の時間経過後に、前記通信部に、前記少なくとも１つの対象鍵装置との接続を切断させる
請求項１〜５のいずれか一項に記載の電気錠用通信システム。
【請求項７】
前記少なくとも１つの対象鍵装置と前記通信部との接続が前記管理部により切断されると、所定の復帰条件を満たすまで、前記少なくとも１つの対象鍵装置と前記通信部とが接続することを制限する接続制限部を更に備える
請求項１〜６のいずれか一項に記載の電気錠用通信システム。
【請求項８】
請求項１〜７のいずれか一項に記載の電気錠用通信システムと、
前記鍵装置から送信され前記通信部で受信された、電気錠を動作させるための指令信号に応じて、前記電気錠を動作させる電気錠制御部と、を備える
電気錠制御システム。
【請求項９】
請求項８に記載の電気錠制御システムと、
前記電気錠と、を備える
電気錠システム。
【請求項１０】
請求項９に記載の電気錠システムと、
前記電気錠システムが取り付けられる戸本体と、を備える
電気錠付戸。
【請求項１１】
請求項１〜７のいずれか一項に記載の電気錠用通信システムの前記通信部に無線にて接続される鍵側通信部を備える
鍵装置。
【請求項１２】
第１の台数以下の複数の鍵装置が同時に接続可能な通信部を備える電気錠用通信システムと一緒に用いられる１つの前記鍵装置の通信方法であって、
無線にて前記通信部に接続されるステップと、
前記通信部に接続されている前記鍵装置の台数が、２以上であって前記第１の台数以下の第２の台数に達し、かつ、前記通信部に接続されている前記第２の台数の前記鍵装置のうち、前記通信部との接続が切断される少なくとも１つの対象鍵装置の中の１つに該当するとき、前記通信部との接続を切断する処理を受け付けるステップと、を備える
鍵装置の通信方法。
【請求項１３】
請求項１２記載の通信方法を、前記鍵装置のコンピュータシステムに実行させるための
プログラム。
【発明の詳細な説明】
【技術分野】
【０００１】
本発明は電気錠用通信システム、電気錠制御システム、電気錠システム、電気錠付戸、鍵装置、鍵装置の通信方法及びプログラムに関し、より詳細には、無線にて鍵装置と電気錠用通信システムの通信部とが接続する電気錠用通信システム、電気錠制御システム、電気錠システム、電気錠付戸、鍵装置、鍵装置の通信方法及びプログラムに関する。
【背景技術】
【０００２】
無線にて機器に接続する装置の従来例として、特許文献１記載の無線通信装置を例示する。特許文献１において、無線通信装置は、無線ネットワークの親局として動作し、子局機器は、無線ネットワークの子局として動作する。特許文献１記載の無線通信装置は、子局機器の数が上限数Ｋ（Ｋは１以上の整数）に一致する状態で、特定の外部機器から無線接続要求が受信される場合に、Ｋ個の子局機器のうちの対象機器との無線接続を切断する。
【先行技術文献】
【特許文献】
【０００３】
【特許文献１】特開２０１５−１４２１６３号公報
【発明の概要】
【発明が解決しようとする課題】
【０００４】
しかしながら、特許文献１記載の無線通信装置は、子局機器の数が上限数Ｋに一致する状態で、特定の外部機器から無線接続要求が受信される場合に、対象機器との無線接続を切断するまで、特定の外部機器と無線接続できなかった。したがって、特許文献１記載の無線通信装置は、特定の外部機器に接続する処理の応答性に課題があった。
【０００５】
本発明は、電気錠用通信システムの通信部（無線通信装置に対応）に未接続の鍵装置（特定の外部機器に対応）と通信部とが接続する処理の応答性を向上させる電気錠用通信システム、電気錠制御システム、電気錠システム、電気錠付戸、鍵装置、鍵装置の通信方法及びプログラムを提供することを目的とする。
【課題を解決するための手段】
【０００６】
上記の課題を解決するために、本発明の一態様に係る電気錠用通信システムは、通信部と、管理部と、を備える。前記通信部には、無線にて第１の台数以下の複数の鍵装置が同時に接続可能である。前記管理部は、前記通信部に接続されている前記鍵装置の台数が、第２の台数に達したとき、前記通信部に、前記通信部に接続されている前記第２の台数の前記鍵装置のうち少なくとも１つの対象鍵装置との接続を切断させる。前記第２の台数は、２以上であって前記第１の台数以下である。
【０００７】
本発明の一態様に係る電気錠制御システムは、前記電気錠用通信システムと、電気錠制御部と、を備える。前記電気錠制御部は、前記鍵装置から送信され前記通信部で受信された、電気錠を動作させるための指令信号に応じて、前記電気錠を動作させる。
【０００８】
本発明の一態様に係る電気錠システムは、前記電気錠制御システムと、前記電気錠と、を備える。
【０００９】
本発明の一態様に係る電気錠付戸は、前記電気錠システムと、戸本体と、を備える。前記戸本体には、前記電気錠システムが取り付けられる。
【００１０】
本発明の一態様に係る鍵装置は、鍵側通信部を備える。前記鍵側通信部は、前記電気錠用通信システムの前記通信部に無線にて接続される。
【００１１】
本発明の一態様に係る鍵装置の通信方法は、電気錠用通信システムと一緒に用いられる１つの鍵装置の通信方法である。前記電気錠用通信システムは、通信部を備える。前記通信部には、第１の台数以下の複数の前記鍵装置が同時に接続可能である。前記鍵装置の通信方法は、無線にて前記通信部に接続されるステップと、前記通信部に接続されている前記鍵装置の台数が、２以上であって前記第１の台数以下の第２の台数に達し、かつ、前記通信部に接続されている前記第２の台数の前記鍵装置のうち、前記通信部との接続が切断される少なくとも１つの対象鍵装置の中の１つに該当するとき、前記通信部との接続を切断する処理を受け付けるステップと、を備える。
【００１２】
本発明の一態様に係るプログラムは、前記鍵装置の通信方法を、前記鍵装置のコンピュータシステムに実行させる。
【発明の効果】
【００１３】
本発明の一態様に係る電気錠用通信システム、電気錠制御システム、電気錠システム、電気錠付戸、鍵装置、鍵装置の通信方法及びプログラムは、電気錠用通信システムの通信部に未接続の鍵装置と通信部とが接続する処理の応答性を向上させることができる。
【図面の簡単な説明】
【００１４】
【図１】図１は、一実施形態に係る鍵装置及び電気錠システムのブロック図である。
【図２】図２は、同上の鍵装置及び電気錠システムの使用例の説明図である。
【図３】図３は、同上の鍵装置及び電気錠システムの電気錠用通信システムの動作例を示すシーケンス図である。
【図４】図４は、同上の鍵装置及び電気錠システムの電気錠用通信システムの動作例を示すフローチャートである。
【発明を実施するための形態】
【００１５】
以下、実施形態に係る電気錠用通信システム、電気錠制御システム、電気錠システム、電気錠付戸、鍵装置、鍵装置の通信方法及びプログラムについて、図面を用いて説明する。ただし、以下に説明する実施形態は、本開示の様々な実施形態の一部に過ぎない。下記の実施形態は、本開示の目的を達成できれば、設計等に応じて種々の変更が可能である。
【００１６】
（構成）
図２に示すように、本実施形態の電気錠付戸１は、電気錠システム２と、戸本体１１と、を備えている。図１に示すように、電気錠システム２は、電気錠制御システム３と、電気錠２１と、を備えている。電気錠制御システム３は、電気錠用通信システム４と、電気錠制御部３１と、を備えている。電気錠制御部３１は、電気錠２１を制御して、電気錠２１を動作させる。
【００１７】
図２に示すように、電気錠システム２は、戸本体１１に取り付けられる。戸本体１１は、建物１２（例えば、戸建て住宅又は集合住宅の各住戸）の開口部１３を開閉する。戸本体１１は、例えば、玄関ドア若しくは勝手口ドア等のドア、又は掃き出し窓等の窓である。本実施形態では、戸本体１１は、玄関ドアである。戸本体１１は、開き戸であってもよいし、引き戸であってもよい。
【００１８】
図１、２に示すように、電気錠用通信システム４は、電波を媒体として無線にて１又は複数の鍵装置５に接続し、１又は複数の鍵装置５と無線通信する。ここで、接続するとは、相互に通信ができる状態にすることである。１台の電気錠用通信システム４に接続可能な鍵装置５の台数の上限（以下、第１の台数と称す）は、例えば、５（台）である。電気錠用通信システム４と、１又は複数の鍵装置５との間で無線通信が行われ、無線通信の内容に応じて、電気錠２１により戸本体１１が施錠又は解錠される。
【００１９】
鍵装置５は、例えば、スマートフォン等の携帯電話、ＰＤＡ（Personal Digital Assistant）若しくはタブレット型端末等の携帯端末である。ただし、鍵装置５は携帯端末に限らず、例えば、ＩＣ（Integrated Circuit）タグ等であってもよい。本実施形態では、鍵装置５は複数（例えば、６台）用意されているとする。複数の鍵装置５は、複数のユーザ（例えば、図２に示すユーザＵ１）に携帯される。複数の鍵装置５の各々は、電気錠用通信システム４に予め登録されている。複数の鍵装置５には、互いに異なる識別情報が割り当てられている。電気錠用通信システム４は、各鍵装置５の識別情報に基づいて、複数の鍵装置５を識別する。
【００２０】
電気錠用通信システム４と各鍵装置５とは、例えばＢＬＥ［Bluetooth（登録商標） Low Energy］の規格に準拠した近距離無線通信を行うように構成されている。ＢＬＥとは、無線ＰＡＮ（Personal Area Network）技術であるBluetooth（登録商標）の仕様における低消費電力仕様の呼称である。
【００２１】
鍵装置５は、鍵側通信部５１を備えている。鍵装置５は、鍵側制御部５２と、鍵側記憶部Ｍ５と、鍵側操作部Ｏｐ５と、を更に備えている。
【００２２】
鍵側通信部５１は、アンテナと、通信回路と、を有している。鍵側通信部５１は、電気錠用通信システム４の後述の錠側通信部４１（通信部）と無線にて接続し通信する。鍵側通信部５１は、錠側通信部４１から送信されたアドバタイズ信号Ｓｉｇ１を受信すると、応答信号Ｓｉｇ２を送信する。より詳細には、鍵側通信部５１は、アドバタイズ信号Ｓｉｇ１を受信すると、応答信号Ｓｉｇ２の送信を一定時間の間繰り返す。また、鍵側通信部５１は、錠側通信部４１に接続されている間、応答信号Ｓｉｇ２を錠側通信部４１に間欠的に送信する。
【００２３】
鍵側制御部５２は、鍵側通信部５１の動作を制御する。
【００２４】
各鍵装置５は、鍵情報と、自身の識別情報とを鍵側記憶部Ｍ５に記憶している。
【００２５】
鍵側操作部Ｏｐ５は、例えば、鍵装置５のタッチパネルである。
【００２６】
電気錠用通信システム４は、錠側通信部４１（通信部）と、錠側制御部４２と、を備えている。錠側制御部４２は、管理部４３と、決定部４４と、接続制限部４５と、認証部４６と、エリア判定部４７と、タイマ部４８と、を有している。電気錠用通信システム４は、錠側記憶部Ｍ４と、錠側操作部Ｏｐ４と、を更に備えている。
【００２７】
錠側通信部４１は、鍵側通信部５１と無線にて接続し通信する。錠側通信部４１は、アンテナと、通信回路と、を有している。錠側通信部４１は、アドバタイズ信号Ｓｉｇ１を間欠的に（例えば、１秒間隔で）送信する。錠側通信部４１は、鍵装置５の鍵側通信部５１がアドバタイズ信号Ｓｉｇ１を受信したときに送信する応答信号Ｓｉｇ２を受信する。錠側通信部４１は、応答信号Ｓｉｇ２を受信すると、応答信号Ｓｉｇ２に含まれている、送信元の鍵装置５の識別情報及び鍵情報等の情報を錠側制御部４２に出力する。
【００２８】
また、錠側通信部４１は、受信した信号（例えば、応答信号Ｓｉｇ２）の受信強度（RSSI:Received Signal Strength Indication）を計測する。錠側通信部４１は、計測した受信強度の計測値を錠側制御部４２に出力する。
【００２９】
錠側制御部４２及び鍵側制御部５２の各々は、例えば、中央処理装置等のプロセッサを有するコンピュータ（マイクロコンピュータ）により構成されている。すなわち、本開示における電気錠用通信システム４、電気錠制御システム３、電気錠システム２、電気錠付戸１、鍵装置５及び鍵装置５の通信方法の実行主体は、コンピュータシステムを含んでいる。コンピュータシステムは、１又は複数のコンピュータを有している。コンピュータシステムは、ハードウェアとしてのプロセッサ及びメモリを主構成とする。コンピュータシステムのメモリに記録されたプログラムをプロセッサが実行することによって、本開示における電気錠用通信システム４、電気錠制御システム３、電気錠システム２、電気錠付戸１、鍵装置５及び鍵装置５の通信方法の実行主体としての機能が実現される。プログラムは、コンピュータシステムのメモリに予め記録されていてもよいが、電気通信回線を通じて提供されてもよいし、コンピュータシステムで読み取り可能なメモリカード、光学ディスク、ハードディスクドライブ（磁気ディスク）等の非一時的記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００３０】
錠側記憶部Ｍ４は、錠側制御部４２のメモリとして用いられてもよい。また、鍵装置５の鍵側記憶部Ｍ５は、鍵側制御部５２のメモリとして用いられてもよい。
【００３１】
管理部４３は、錠側通信部４１に接続されている鍵装置５の台数が第２の台数に達したとき、錠側通信部４１に、錠側通信部４１に接続されている第２の台数の鍵装置５のうち１つの対象鍵装置との接続を切断させる。第２の台数は、２以上であって第１の台数（５台）以下の数である。本実施形態では、第２の台数は５（台）である。すなわち、第２の台数は、錠側通信部４１に接続可能な鍵装置５の台数の上限である第１の台数と等しい。
【００３２】
決定部４４は、対象鍵装置を所定の条件により決定する。所定の条件については後述する。
【００３３】
接続制限部４５は、対象鍵装置と錠側通信部４１との接続が管理部４３により切断されると、所定の復帰条件を満たすまで、対象鍵装置と錠側通信部４１とが接続することを制限する。所定の復帰条件は、例えば、ユーザが対象鍵装置の鍵側操作部Ｏｐ５に所定の操作をしたことが、接続制限部４５に通知されることである。鍵側通信部５１は、鍵側操作部Ｏｐ５に所定の操作がされたことを、所定の信号により接続制限部４５に通知する。
【００３４】
認証部４６は、鍵側通信部５１から送信され錠側通信部４１で受信された応答信号Ｓｉｇ２に含まれている識別情報及び鍵情報に基づいて、鍵装置５の認証を行う。より詳細には、認証部４６は、錠側記憶部Ｍ４に記憶されている各鍵装置５の識別情報及び鍵情報を参照して、鍵装置５の認証を行う。認証部４６が鍵装置５の認証に成功すると、錠側通信部４１は、無線にて当該鍵装置５の鍵側通信部５１に接続する。
【００３５】
エリア判定部４７は、鍵装置５の鍵側通信部５１から送信され錠側通信部４１が受信した応答信号Ｓｉｇ２の受信強度の計測値に基づいて、第１エリアＡ１及び第２エリアＡ２のうち、当該鍵装置５が存在するエリアの判定（以下、エリア判定と称す）を行う。
【００３６】
第１エリアＡ１及び第２エリアＡ２は、戸本体１１の付近に広がっている。第２エリアＡ２は、第１エリアＡ１よりも広いエリアである。第２エリアＡ２は、第１エリアＡ１の全体を含む。
【００３７】
エリア判定部４７は、例えば、コンパレータを含む。エリア判定部４７は、応答信号Ｓｉｇ２の受信強度の計測値が第１の閾値以上であれば、鍵装置５が第１エリアＡ１に存在すると判定する。また、エリア判定部４７は、応答信号Ｓｉｇ２の受信強度の計測値が第２の閾値以上であれば、鍵装置５が第２エリアＡ２に存在すると判定する。第１の閾値は、第２の閾値よりも大きい値である。第１の閾値は、例えば−７０ｄＢｍであり、第２の閾値は、例えば−１００ｄＢｍである。第１の閾値及び第２の閾値は、例えば、ユーザが電気錠用通信システム４を操作することで決められ、錠側記憶部Ｍ４に記憶されている。
【００３８】
タイマ部４８は、錠側通信部４１に接続されている鍵装置５の台数が第２の台数に達してからの経過時間を計測する。
【００３９】
電気錠用通信システム４の錠側操作部Ｏｐ４は、例えば、戸本体１１の引手１１１に設けられる。錠側操作部Ｏｐ４は、例えば、タッチパネルである。
【００４０】
鍵装置５が錠側通信部４１に接続されており、かつ、当該鍵装置５が第１エリアＡ１にあるとエリア判定部４７が判定すると、電気錠用通信システム４の錠側操作部Ｏｐ４は、ユーザによる第１操作を受け付け、鍵装置５の鍵側操作部Ｏｐ５は、ユーザによる第２操作を受け付ける。
【００４１】
鍵装置５が錠側通信部４１に接続されており、かつ、当該鍵装置５が第２エリアＡ２にあるとエリア判定部４７が判定すると、当該鍵装置５の鍵側操作部Ｏｐ５は、ユーザによる第２操作を受け付ける。
【００４２】
第１操作とは、例えば、錠側操作部Ｏｐ４（タッチパネル）へのタッチ操作である。錠側操作部Ｏｐ４に第１操作がされると、電気錠制御部３１は、電気錠２１の駆動回路に制御信号Ｓｉｇ３を送信して、電気錠２１に戸本体１１を施錠又は解錠させる。第１操作は、戸本体１１を施錠させるための操作であってもよいし、戸本体１１を解錠させるための操作であってもよい。なお、錠側操作部Ｏｐ４は、戸本体１１が設けられている建物１２の壁面又は戸本体１１に取り付けられていてもよい。また、錠側操作部Ｏｐ４は、戸本体１１又は戸本体１１の引手１１１等に設けられた釦であって、第１操作は、錠側操作部Ｏｐ４への釦操作であってもよい。
【００４３】
第２操作とは、例えば、鍵側操作部Ｏｐ５（タッチパネル）へのタップ操作又はフリック操作等である。鍵装置５において、鍵側操作部Ｏｐ５に第２操作がされると、鍵側通信部５１は、錠側通信部４１に駆動要求信号Ｓｉｇ４を送信する。錠側通信部４１が駆動要求信号Ｓｉｇ４を受信すると、電気錠制御部３１は、電気錠２１の駆動回路に制御信号Ｓｉｇ３を送信して、電気錠２１に戸本体１１を施錠又は解錠させる。第２操作は、戸本体１１を施錠させるための操作であってもよいし、戸本体１１を解錠させるための操作であってもよい。また、鍵側操作部Ｏｐ５は、鍵装置５の釦であって、第２操作は、鍵側操作部Ｏｐ５への釦操作であってもよい。
【００４４】
電気錠２１は、デッドボルトと、モータと、駆動回路とを有している。モータは、モータの駆動力をデッドボルトに伝達することで、デッドボルトを施錠位置と解錠位置との間で移動させる。施錠位置は、デッドボルトの少なくとも一部が戸本体１１（ドア）の側面から突出して、ドア枠のボルト穴に挿入される位置である。解錠位置は、デッドボルトの全体が戸本体１１の側面より内側に収まる位置である。駆動回路は、電気錠用通信システム４の電気錠制御部３１から送信された制御信号Ｓｉｇ３に応じてモータを駆動する。より詳細には、駆動回路は、制御信号Ｓｉｇ３が施錠命令を示す場合は、モータを駆動してデッドボルトを施錠位置に移動させ、戸本体１１を施錠する。また、駆動回路は、制御信号Ｓｉｇ３が解錠命令を示す場合は、モータを駆動してデッドボルトを解錠位置に移動させ、戸本体１１を解錠する。
【００４５】
（動作）
次に、複数の鍵装置５と電気錠用通信システム４とがどのように動作し、複数の鍵装置５の各々の鍵側通信部５１と、電気錠用通信システム４の錠側通信部４１との無線による接続がどのように切り替えられるかについて、図３、４を参照して説明する。
【００４６】
図３に示すように、鍵装置５は、６台用意されているとする。以下では、６台の鍵装置５を区別して、６台の鍵装置５をそれぞれ鍵装置５Ａ、５Ｂ、……、５Ｆと称することがある。
【００４７】
電気錠用通信システム４の錠側通信部４１は、アドバタイズ信号Ｓｉｇ１を間欠的に送信している（例えば、ステップＳ１）。ただし、図３では、間欠的に送信されるアドバタイズ信号Ｓｉｇ１のうち、一部のタイミングで送信されるアドバタイズ信号Ｓｉｇ１のみを図示している。
【００４８】
ステップＳ１において、鍵装置５Ａ〜５Ｆのうち、４台の鍵装置５Ａ〜５Ｄは、アドバタイズ信号Ｓｉｇ１を受信可能なエリア（例えば、第２エリアＡ２を含むエリア）に侵入する。したがって、鍵装置５Ａ〜５Ｄの各々の鍵側通信部５１は、アドバタイズ信号Ｓｉｇ１を受信する。これに応じて、鍵装置５Ａ〜５Ｄの各々の鍵側通信部５１は、電気錠用通信システム４の錠側通信部４１に応答信号Ｓｉｇ２を送信する（ステップＳ２）。
【００４９】
錠側通信部４１が鍵装置５Ａ〜５Ｄの各々からの応答信号Ｓｉｇ２を受信すると、電気錠用通信システム４の認証部４６は、応答信号Ｓｉｇ２に含まれている識別情報及び鍵情報に基づいて、鍵装置５Ａ〜５Ｄの認証を行う。認証部４６が鍵装置５Ａ〜５Ｄの認証に成功すると、錠側通信部４１は、無線にて鍵装置５Ａ〜５Ｄに接続する（ステップＳ３）。
【００５０】
鍵装置５Ａ〜５Ｄの鍵側通信部５１は、錠側通信部４１に接続されている間、応答信号Ｓｉｇ２を錠側通信部４１に間欠的に送信する。
【００５１】
また、錠側通信部４１は、鍵装置５Ａ〜５Ｄの各々からの応答信号Ｓｉｇ２を受信すると、応答信号Ｓｉｇ２の受信強度を計測する。応答信号Ｓｉｇ２の受信強度の計測値は、錠側記憶部Ｍ４に記憶され、かつ、錠側制御部４２に出力される。
【００５２】
エリア判定部４７は、応答信号Ｓｉｇ２の受信強度の計測値に応じて、各鍵装置５Ａ〜５Ｄについてのエリア判定を行う。
【００５３】
鍵装置５Ａ〜５Ｄがアドバタイズ信号Ｓｉｇ１を受信可能なエリアに侵入するよりも後に、鍵装置５Ｅが当該エリアに侵入する。すると、鍵装置５Ｅの鍵側通信部５１は、錠側通信部４１から間欠的に送信されているアドバタイズ信号Ｓｉｇ１を受信する（ステップＳ４）。これに応じて、鍵装置５Ｅの鍵側通信部５１は、電気錠用通信システム４の錠側通信部４１に応答信号Ｓｉｇ２を送信する（ステップＳ５）。
【００５４】
錠側通信部４１が鍵装置５Ｅからの応答信号Ｓｉｇ２を受信すると、認証部４６は、鍵装置５Ｅの認証を行う。この時点で、錠側通信部４１に接続されている鍵装置５の台数は４台であり、錠側通信部４１に接続可能な鍵装置５の台数の上限である第１の台数（５台）よりも少ない。したがって、認証部４６が鍵装置５Ｅの認証に成功すると、錠側通信部４１は、無線にて鍵装置５Ｅに接続する（ステップＳ６）。
【００５５】
鍵装置５Ｅは、錠側通信部４１に接続されている間、応答信号Ｓｉｇ２を錠側通信部４１に間欠的に送信する。
【００５６】
また、錠側通信部４１は、鍵装置５Ｅからの応答信号Ｓｉｇ２の受信強度を計測する。応答信号Ｓｉｇ２の受信強度の計測値は、錠側記憶部Ｍ４に記憶され、かつ、錠側制御部４２に出力される。
【００５７】
エリア判定部４７は、応答信号Ｓｉｇ２の受信強度の計測値に応じて、鍵装置５Ｅについてのエリア判定を行う。
【００５８】
鍵装置５Ｅが錠側通信部４１に接続されると、錠側通信部４１に接続されている鍵装置５の台数は５台となる。すなわち、錠側通信部４１に接続されている鍵装置５の台数が第２の台数に達する。すると、タイマ部４８は、錠側通信部４１に接続されている鍵装置５の台数が第２の台数に達してからの経過時間の計測を開始する。決定部４４は、タイマ部４８の出力により、錠側通信部４１に接続されている鍵装置５の台数が第２の台数に達してから所定の時間Ｔ１が経過したか否かを判定する。
【００５９】
錠側通信部４１に接続されている鍵装置５の台数が第２の台数である間は、錠側通信部４１は、接続が不可能であるという情報をアドバタイズ信号Ｓｉｇ１に含ませてアドバタイズ信号Ｓｉｇ１を送信する。したがって、錠側通信部４１に接続されている鍵装置５の台数が第２の台数である間に、錠側通信部４１に接続されていない鍵装置５Ｆがアドバタイズ信号Ｓｉｇ１を受信した場合は、鍵装置５Ｆの鍵側制御部５２は、鍵側通信部５１に応答信号Ｓｉｇ２を送信させない。そのため、鍵装置５Ｆの鍵側通信部５１は錠側通信部４１に接続されない。
【００６０】
また、ステップＳ６において、錠側通信部４１に接続されている鍵装置５の台数が第２の台数に達してから、所定の時間Ｔ１（例えば、２分）が経過したとする（ステップＳ７）。すると、決定部４４は、錠側通信部４１に接続されている鍵装置５Ａ〜５Ｅの中から、錠側通信部４１との接続が切断される鍵装置５（対象鍵装置）を所定の条件により決定する（ステップＳ７２：図４参照）。
【００６１】
所定の条件は、錠側通信部４１に接続されている鍵装置５Ａ〜５Ｅの各々における、鍵側通信部５１から送信され錠側通信部４１で受信される応答信号Ｓｉｇ２の受信強度に関する条件である。つまり、決定部４４は、応答信号Ｓｉｇ２の受信強度の錠側通信部４１による計測値に基づいて、対象鍵装置を決定する。具体的には、所定の条件は、例えば、鍵装置５Ａ〜５Ｅのうち、錠側通信部４１における受信強度の計測値が最も小さい応答信号Ｓｉｇ２を送信した鍵装置５を対象鍵装置とするという条件である。この場合、鍵装置５Ａ〜５Ｅのうち、錠側通信部４１からより遠く離れている鍵装置５が、対象鍵装置として選ばれやすい。ここでは、鍵装置５Ａ〜５Ｅのうち、鍵装置５Ａから送信された応答信号Ｓｉｇ２の受信強度の計測値が最も小さく、鍵装置５Ａが対象鍵装置として選ばれるとする。
【００６２】
ここで、応答信号Ｓｉｇ２の受信強度とは、例えば、錠側通信部４１に接続されている鍵装置５の台数が第２の台数に達した時点を始点として、所定の時間Ｔ１が経過するまでの受信強度の平均値である。すなわち、図４に示すように、錠側制御部４２は、応答信号Ｓｉｇ２の所定の時間Ｔ１における平均値を算出する（ステップＳ７１）。決定部４４は、応答信号Ｓｉｇ２の所定の時間Ｔ１における平均値を用いて、対象鍵装置を決定する（ステップＳ７２）。
【００６３】
次に、管理部４３は、錠側通信部４１に対象鍵装置（鍵装置５Ａ）との接続を切断させる（ステップＳ８）。すなわち、図３に示すように、錠側通信部４１は、鍵装置５Ａには接続されておらず、鍵装置５Ｂ〜５Ｅに接続されている状態となる。つまり、錠側通信部４１に接続されている鍵装置５の台数は、４台となり、錠側通信部４１に接続可能な鍵装置５の台数の上限である第１の台数（５台）よりも少なくなる。
【００６４】
したがって、その後、鍵装置５Ｆがアドバタイズ信号Ｓｉｇ１を受信可能なエリアに侵入すると、鍵装置５Ｆの鍵側通信部５１は、アドバタイズ信号Ｓｉｇ１を受信し（ステップＳ９）、これに応じて応答信号Ｓｉｇ２を錠側通信部４１に送信する（ステップＳ１０）。
【００６５】
あるいは、鍵装置５Ａ〜５Ｅが錠側通信部４１に接続されているときに鍵装置５Ｆがアドバタイズ信号Ｓｉｇ１を受信可能なエリアに侵入し、管理部４３が錠側通信部４１と対象鍵装置（鍵装置５Ａ）との接続を切断させた時点まで継続して鍵装置５Ｆが当該エリアに存在している場合も上記と同様となる。すなわち、この場合も、鍵装置５Ｆの鍵側通信部５１は、アドバタイズ信号Ｓｉｇ１を受信し、これに応じて応答信号Ｓｉｇ２を錠側通信部４１に送信する。
【００６６】
ステップＳ１０において、錠側通信部４１が鍵装置５Ｆからの応答信号Ｓｉｇ２を受信すると、認証部４６は、鍵装置５Ｆの認証を行う。この時点で、錠側通信部４１に接続されている鍵装置５の台数は４台であり、錠側通信部４１に接続可能な鍵装置５の台数の上限である第１の台数（５台）よりも少ない。したがって、認証部４６が鍵装置５Ｆの認証に成功すると、錠側通信部４１は、無線にて鍵装置５Ｆに接続する（ステップＳ１１）。
【００６７】
以後の処理は、鍵装置５Ａ〜５Ｅが錠側通信部４１に接続されたときと同様であるから、説明を省略する。なお、鍵装置５Ｆが錠側通信部４１に接続されると、錠側通信部４１に接続されている鍵装置５の台数は第２の台数（５台）に達する。したがって、所定の時間Ｔ１が経過すると、決定部４４は、錠側通信部４１に接続されている鍵装置５Ｂ〜５Ｆの中から、錠側通信部４１との接続が切断される対象鍵装置を所定の条件により決定する。管理部４３は、錠側通信部４１に対象鍵装置との接続を切断させる。
【００６８】
以上説明した通り、錠側通信部４１に接続されている鍵装置５の台数が第２の台数に達すると、管理部４３は、錠側通信部４１に対象鍵装置との接続を切断させる。そのため、管理部４３がこのような処理を行わない場合と比較して、錠側通信部４１に接続された鍵装置５の台数が第２の台数よりも少ない状態である期間がより長くなる。錠側通信部４１に接続された鍵装置５の台数が第２の台数よりも少ないときは、錠側通信部４１に未接続の鍵装置５は、直ちに錠側通信部４１に接続できる。したがって、本実施形態によれば、錠側通信部４１に未接続の鍵装置５と錠側通信部４１とが接続する処理の応答性を向上させることができる。
【００６９】
ステップＳ８において、対象鍵装置（鍵装置５Ａ）と錠側通信部４１との接続が管理部４３により切断されると、接続制限部４５は、所定の復帰条件を満たすまで（つまり、対象鍵装置の鍵側操作部Ｏｐ５に所定の操作がされるまで）、対象鍵装置と錠側通信部４１とが接続することを制限する。より詳細には、接続制限部４５は、応答信号Ｓｉｇ２に含まれる識別情報に基づいて、錠側通信部４１との接続が管理部４３により切断された対象鍵装置を識別し、所定の復帰条件を満たすまで、この対象鍵装置と錠側通信部４１とが接続することを制限する。
【００７０】
所定の復帰条件が満たされ、対象鍵装置の鍵側通信部５１がアドバタイズ信号Ｓｉｇ１に応じて錠側通信部４１に応答信号Ｓｉｇ２を送信し、かつ、錠側通信部４１に接続されている鍵装置５の台数が第２の台数よりも少ない場合は、対象鍵装置は、錠側通信部４１に再接続される。図３では、所定の復帰条件が満たされないため、対象鍵装置（鍵装置５Ａ）は、錠側通信部４１に再接続されない。
【００７１】
（所定の条件に関する変形例）
次に、錠側通信部４１に接続されている第２の台数の鍵装置の中から、錠側通信部４１との接続が切断される鍵装置５（対象鍵装置）を決定部４４が決定するための所定の条件に関する変形例を列挙する。
【００７２】
決定部４４は、所定の条件により、１つではなく複数の鍵装置５を対象鍵装置として決定してもよい。例えば、所定の条件は、第２の台数の鍵装置５のうち、錠側通信部４１における受信強度の計測値がより小さい応答信号Ｓｉｇ２を送信した鍵装置５から優先的に対象鍵装置とするという条件であってもよい。より具体的には、決定部４４が対象鍵装置を２つ決定する場合に、所定の条件は、錠側通信部４１における受信強度の計測値が最も小さい応答信号Ｓｉｇ２を送信した鍵装置５と、錠側通信部４１における受信強度の計測値が２番目に小さい応答信号Ｓｉｇ２を送信した鍵装置５とを対象鍵装置とするという条件であってもよい。
【００７３】
また、決定部４４は、対象鍵装置の台数を、所定の条件により、１以上の数の中から決定してもよい。例えば、錠側通信部４１における受信強度の計測値が所定の閾値よりも小さい応答信号Ｓｉｇ２を送信した鍵装置５の台数が少ないほど、決定部４４は、対象鍵装置の台数を少なくしてもよい。
【００７４】
対象鍵装置として決定され錠側通信部４１との接続が切断される鍵装置５の台数は、第２の台数よりも少ない台数であることが好ましい。
【００７５】
また、所定の条件は、例えば、第２の台数の鍵装置５のうち、錠側通信部４１における受信強度の計測値のばらつき（例えば、分散）がより小さい応答信号Ｓｉｇ２を送信した鍵装置５から優先的に対象鍵装置とするという条件であってもよい。これにより、動きが小さい鍵装置５から優先的に対象鍵装置とすることができる。受信強度の計測値のばらつきは、例えば、錠側通信部４１に接続されている鍵装置５の台数が第２の台数に達した時点を始点として、所定の時間Ｔ１が経過するまでの受信強度の計測値により、錠側制御部４２において求められればよい。
【００７６】
また、所定の条件は、錠側通信部４１に接続されている第２の台数の鍵装置５の各々における、アドバタイズ信号Ｓｉｇ１の受信強度に関する条件であってもよい。より詳細には、各鍵装置５の鍵側通信部５１は、錠側通信部４１から送信されたアドバタイズ信号Ｓｉｇ１の受信強度を計測し、計測値を応答信号Ｓｉｇ２により電気錠用通信システム４に通知してもよい。そして、決定部４４は、各鍵装置５におけるアドバタイズ信号Ｓｉｇ１の受信強度の計測値に関する所定の条件により、対象鍵装置を決定してもよい。具体例としては、所定の条件は、第２の台数の鍵装置５のうち、アドバタイズ信号Ｓｉｇ１の受信強度の計測値がより小さい鍵装置５から優先的に対象鍵装置とするという条件であってもよい。ここで、アドバタイズ信号Ｓｉｇ１の受信強度とは、例えば、錠側通信部４１に接続されている鍵装置５の台数が第２の台数に達してから、所定の時間Ｔ１が経過するまでの受信強度の平均値である。
【００７７】
また、所定の条件は、例えば、第２の台数の鍵装置５のうち、アドバタイズ信号Ｓｉｇ１の受信強度の計測値のばらつき（例えば、分散）がより小さい鍵装置５から優先的に対象鍵装置とするという条件であってもよい。
【００７８】
また、所定の条件は、錠側通信部４１に接続されている第２の台数の鍵装置５の各々における、錠側通信部４１に接続されてからの経過時間に関する条件であってもよい。具体的には、タイマ部４８は、鍵装置５が錠側通信部４１に接続されてからの経過時間を、鍵装置５ごとに計測してもよい。そして、所定の条件は、第２の台数の鍵装置５のうち、錠側通信部４１に接続されている鍵装置５の台数が第２の台数に達したときの上記経過時間がより長い鍵装置５から優先的に対象鍵装置とするという条件であってもよい。
【００７９】
ところで、実施形態において、鍵装置５が錠側通信部４１に応答信号Ｓｉｇ２（指令信号）を送信したことで当該鍵装置５が錠側通信部４１に接続されており、かつ、当該鍵装置５が第１エリアＡ１にあるとエリア判定部４７が判定すると、錠側操作部Ｏｐ４は、ユーザによる第１操作を受け付ける。ユーザは、錠側操作部Ｏｐ４に第１操作をすることで、戸本体１１を施錠又は解錠する動作を電気錠２１にさせることができる。ここで、所定の条件は、錠側通信部４１に接続されている第２の台数の鍵装置５の各々からの応答信号Ｓｉｇ２により電気錠２１が動作（施錠又は解錠）させられたか否かに関する条件であってもよい。例えば、錠側通信部４１に接続されている第２の台数の鍵装置５のうち一部の鍵装置５が、応答信号Ｓｉｇ２を送信して錠側通信部４１に接続され、その後、錠側操作部Ｏｐ４へのユーザの第１操作により電気錠２１が動作（施錠又は解錠）させられたとする。この場合に、所定の条件は、上記一部の鍵装置５を優先的に対象鍵装置とするという条件であってもよい。
【００８０】
また、鍵装置５が錠側通信部４１に接続されており、かつ、当該鍵装置５が第１エリアＡ１又は第２エリアＡ２にあるとエリア判定部４７が判定すると、当該鍵装置５の鍵側操作部Ｏｐ５は、ユーザによる第２操作を受け付ける。ユーザは、当該鍵装置５の鍵側操作部Ｏｐ５に第２操作をすることで、当該鍵装置５の鍵側通信部５１に駆動要求信号Ｓｉｇ４（指令信号）を送信させ、戸本体１１を施錠又は解錠する動作を電気錠２１にさせることができる。ここで、所定の条件は、錠側通信部４１に接続されている第２の台数の鍵装置５の各々からの駆動要求信号Ｓｉｇ４により電気錠２１が動作させられたか否かに関する条件であってもよい。例えば、所定の条件は、錠側通信部４１に接続されている第２の台数の鍵装置５のうち、駆動要求信号Ｓｉｇ４を送信して電気錠２１を動作させた鍵装置５から優先的に対象鍵装置とするという条件であってもよい。
【００８１】
また、所定の条件は、錠側通信部４１に接続されている第２の台数の鍵装置５の各々からの応答信号Ｓｉｇ２及び駆動要求信号Ｓｉｇ４の少なくとも一方により電気錠２１が動作させられたか否かに関する条件であってもよい。また、応答信号Ｓｉｇ２及び駆動要求信号Ｓｉｇ４の少なくとも一方により電気錠２１を動作させた鍵装置５が２つ以上存在するとき、決定部４４は、より早い（又はより遅い）時点に電気錠２１を動作させた鍵装置５から優先的に対象鍵装置としてもよい。
【００８２】
また、今までに述べた複数の条件の中から２つ以上の条件を組み合わせて、所定の条件としてもよい。
【００８３】
例えば、決定部４４は、第１の条件により１又は複数の対象鍵装置を全て決定することができなかった場合は、第２の条件により、残りの対象鍵装置を決定してもよい。具体例として、第１の条件は、第２の台数の鍵装置５のうち、錠側通信部４１における受信強度の計測値がより小さい応答信号Ｓｉｇ２を送信した鍵装置５から優先的に対象鍵装置とする条件であってもよい。第１の条件によって１又は複数の対象鍵装置を全て決定することができなかった場合は、決定部４４は、第２の条件により、残りの対象鍵装置を決定してもよい。第２の条件は、例えば、残りの鍵装置５のうち、錠側通信部４１に接続されてからの経過時間がより長い鍵装置５から優先的に対象鍵装置とする条件であってもよい。
【００８４】
あるいは、今までに述べた複数の条件の中から２つ以上の条件を所定の条件とし、条件ごとに第２の台数の鍵装置５の各々の点数を算出して、合計点数がより大きい（又はより小さい）鍵装置５から優先的に対象鍵装置としてもよい。例えば、錠側通信部４１における受信強度の計測値がより小さい応答信号Ｓｉｇ２を送信した鍵装置５ほど大きい点数が与えられ、さらに、錠側通信部４１に接続されてからの経過時間が長い鍵装置５ほど大きい点数が与えられてもよい。また、条件ごとに点数の重み付けが予め行われてもよい。
【００８５】
また、決定部４４は、最も遅い時点に錠側通信部４１に接続された鍵装置５以外の鍵装置５の中から、対象鍵装置を決定してもよい。
【００８６】
また、決定部４４が所定の条件により対象鍵装置を決定する処理は、錠側通信部４１に接続されている鍵装置５の台数が第２の台数に達してから、所定の時間Ｔ１が経過するまでの間に行われればよい。例えば、決定部４４が所定の条件により対象鍵装置を決定する処理は、錠側通信部４１に接続されている鍵装置５の台数が第２の台数に達してから、直ちに行われてもよいし、所定の時間Ｔ１が経過したときに行われてもよい。
【００８７】
（実施形態のその他の変形例）
次に、実施形態のその他の変形例を列挙する。以下の変形例は、適宜組み合わせて実現されてもよいし、所定の条件に関する変形例と適宜組み合わせて実現されてもよい。
【００８８】
対象鍵装置と錠側通信部４１との接続の制限を解除するための、所定の復帰条件は、ユーザが対象鍵装置の鍵側操作部Ｏｐ５に所定の操作をしたことが接続制限部４５に通知されることに限定されない。所定の復帰条件は、例えば、対象鍵装置と錠側通信部４１との接続が管理部４３により切断されてから、所定の第１の時間（例えば、１分）が経過することであってもよい。あるいは、所定の復帰条件は、対象鍵装置が所定のエリア（例えば、第２エリアＡ２、又は、対象鍵装置がアドバタイズ信号Ｓｉｇ１を受信可能なエリア）の外に有る状態が、所定の第２の時間（例えば、１分）継続することであってもよい。あるいは、所定の復帰条件は、上述の複数の復帰条件のうち２つ以上の条件の組み合わせであってもよい。
【００８９】
また、管理部４３は、錠側通信部４１に接続されている鍵装置５の台数が第２の台数に達した場合に、所定の時間Ｔ１が経過するのを待たずに、直ちに（例えば、１０秒以内に、より好ましくは、５秒以内に）錠側通信部４１に対象鍵装置との接続を切断させてもよい。
【００９０】
また、管理部４３は、錠側通信部４１に接続されている鍵装置５の台数が第２の台数に達した場合において錠側通信部４１に対象鍵装置との接続を切断させるのに加えて、別の条件により、錠側通信部４１と鍵装置５との接続を切断させてもよい。例えば、管理部４３は、錠側通信部４１と各鍵装置５との通信状況に応じて、錠側通信部４１と鍵装置５との接続を切断させてもよい。より具体的には、鍵装置５からの応答信号Ｓｉｇ２が錠側通信部４１において受信されない状態が一定時間継続すると、管理部４３は、錠側通信部４１に当該鍵装置５との接続を切断させてもよい。あるいは、鍵装置５からの応答信号Ｓｉｇ２の受信強度の計測値が所定の閾値以下になると、管理部４３は、錠側通信部４１に当該鍵装置５との接続を切断させてもよい。あるいは、鍵装置５が送信する指令信号（応答信号Ｓｉｇ２又は駆動要求信号Ｓｉｇ４）により電気錠２１が動作させられると、管理部４３は、錠側通信部４１に当該鍵装置５との接続を切断させてもよい。あるいは、鍵装置５が錠側通信部４１に接続されてから一定時間が経過すると、管理部４３は、錠側通信部４１に当該鍵装置５との接続を切断させてもよい。
【００９１】
また、実施形態の錠側通信部４１は、錠側通信部４１に接続されている鍵装置５の台数が第２の台数である間は、接続が不可能であるという情報をアドバタイズ信号Ｓｉｇ１に含ませてアドバタイズ信号Ｓｉｇ１を送信する。ここで、錠側通信部４１は、接続が不可能であるという情報をアドバタイズ信号Ｓｉｇ１に含ませなくてもよい。その場合、錠側通信部４１に接続されている鍵装置５の台数が第２の台数である間に、錠側通信部４１と未接続の鍵装置５がアドバタイズ信号Ｓｉｇ１を受信して応答信号Ｓｉｇ２を送信する可能性がある。このとき、錠側通信部４１は、応答信号Ｓｉｇ２を受信したか否かに関わらず、錠側通信部４１と未接続の鍵装置５とは接続しないように構成されていればよい。
【００９２】
また、錠側通信部４１に接続されている鍵装置５の台数が第２の台数に達してから、管理部４３が錠側通信部４１に対象鍵装置との接続を切断させるまでの所定の時間Ｔ１は、規定の条件により決められてもよい。規定の条件は、例えば、錠側通信部４１に接続されている第２の台数の鍵装置５のうちの１又は複数の鍵装置５における、錠側通信部４１に接続されてからの経過時間が長いほど、所定の時間Ｔ１を短い時間とするという条件であってもよい。
【００９３】
また、第２の台数は、錠側通信部４１に接続可能な鍵装置５の台数の上限である第１の台数よりも少ない数であって、かつ、２以上の数であってもよい。
【００９４】
また、複数の鍵装置５は、中継器を介して錠側通信部４１に接続されてもよい。
【００９５】
また、鍵装置５には、錠側通信部４１に接続されているか否かを視覚的に又は音により通知する通知部が備えられていてもよい。
【００９６】
また、実施形態において錠側制御部４２の構成として一体に構成されている、管理部４３、決定部４４及び接続制限部４５、認証部４６、エリア判定部４７及びタイマ部４８が、複数の装置に分散して設けられていてもよい。
【００９７】
また、電気錠用通信システム４の一部の構成が、複数の鍵装置５、又は、電気通信回線等を通じて電気錠用通信システム４に接続されたサーバ等のコンピュータシステムに備えられていてもよい。
【００９８】
例えば、接続制限部４５に相当する構成が、複数の鍵装置５の各々に備えられていてもよい。すなわち、各鍵装置５は、錠側通信部４１との接続が管理部４３により切断されると、所定の復帰条件を満たすまで応答信号Ｓｉｇ２を送信しないことで、錠側通信部４１に接続することを自ら制限してもよい。
【００９９】
また、例えば、管理部４３に相当する構成が、複数の鍵装置５の各々に備えられていてもよい。そして、対象鍵装置に該当する鍵装置５において、管理部４３に相当する構成は、鍵側通信部５１と錠側通信部４１との接続を切断する処理を行い、この鍵装置５の鍵側通信部５１は、錠側通信部４１との接続を切断する処理を受け付けるように構成されていてもよい。
【０１００】
また、電気錠システム２における各構成は、１つの筐体内に集約されていてもよいし、複数の筐体内に分散して設けられていてもよい。
【０１０１】
（まとめ）
以上説明したように、第１の態様に係る電気錠用通信システム４は、通信部（錠側通信部４１）と、管理部４３と、を備える。通信部には、無線にて第１の台数以下の複数の鍵装置５が同時に接続可能である。管理部４３は、通信部に接続されている鍵装置５の台数が、第２の台数に達したとき、通信部に、通信部に接続されている第２の台数の鍵装置５のうち少なくとも１つの対象鍵装置との接続を切断させる。第２の台数は、２以上であって第１の台数以下である。
【０１０２】
上記の構成によれば、通信部（錠側通信部４１）に接続されている鍵装置５の台数が第２の台数に達したとき、少なくとも１つの対象鍵装置と通信部との接続が切断される。これにより、通信部に未接続の鍵装置５が通信部に接続しようとするのに先立って、第２の台数よりも少ない台数の鍵装置５のみが通信部に接続した状態にすることができる。この場合、通信部に未接続の鍵装置５は、通信部に接続しようとするとき、通信部に接続済みの鍵装置５と通信部との接続が切断されるのを待つことなく、通信部に接続できる。すなわち、通信部に未接続の鍵装置５と通信部とが接続しようとするとき、通信部に接続済みの鍵装置５と通信部との接続が切断されるのを待たなくてよい分、通信部に未接続の鍵装置５と通信部とが接続する処理の応答性が向上する。
【０１０３】
また、第２の態様に係る電気錠用通信システム４は、第１の態様において、決定部４４を更に備える。決定部４４は、少なくとも１つの対象鍵装置を所定の条件により決定する。
【０１０４】
上記の構成によれば、通信部（錠側通信部４１）との接続が切断される対象鍵装置を、所定の条件により決定するので、電気錠用通信システム４の利便性が高まる。
【０１０５】
また、第３の態様に係る電気錠用通信システム４では、第２の態様において、所定の条件は、通信部（錠側通信部４１）に接続されている第２の台数の鍵装置５の各々における、鍵装置５から送信され通信部で受信される信号（例えば、応答信号Ｓｉｇ２）の受信強度と、通信部から送信され鍵装置５で受信される信号（例えば、アドバタイズ信号Ｓｉｇ１）の受信強度とのうち少なくとも一方に関する条件である。
【０１０６】
鍵装置５と通信部（錠側通信部４１）との間で送受信される信号（例えば、応答信号Ｓｉｇ２又はアドバタイズ信号Ｓｉｇ１）の受信強度は、鍵装置５と通信部との間の距離等により変化する。すなわち、上記の構成によれば、決定部４４は、鍵装置５と通信部との間の距離等に基づいて、通信部との接続が切断される対象鍵装置を決定するので、電気錠用通信システム４の利便性が高まる。決定部４４は、例えば、鍵装置５と通信部との間の距離等に基づいて、通信部と通信する可能性が低いと判断される鍵装置５を対象鍵装置とすることができる。
【０１０７】
また、第４の態様に係る電気錠用通信システム４では、第２又は３の態様において、所定の条件は、通信部（錠側通信部４１）に接続されている第２の台数の鍵装置５の各々における、通信部に接続されてからの経過時間に関する条件である。
【０１０８】
上記の構成によれば、決定部４４は、鍵装置５が通信部（錠側通信部４１）に接続されてからの経過時間に関する条件により、通信部との接続が切断される対象鍵装置を決定するので、電気錠用通信システム４の利便性が高まる。決定部４４は、例えば、鍵装置５が通信部に接続されてからの経過時間に基づいて、通信部と通信する可能性が低いと判断される鍵装置５を対象鍵装置とすることができる。
【０１０９】
また、第５の態様に係る電気錠用通信システム４では、第２〜４の態様のいずれか１つにおいて、鍵装置５は、電気錠２１を動作させるための指令信号（応答信号Ｓｉｇ２又は駆動要求信号Ｓｉｇ４）を通信部（錠側通信部４１）に送信する。所定の条件は、通信部に接続されている第２の台数の鍵装置５の各々からの指令信号により電気錠２１が動作させられたか否かに関する条件である。
【０１１０】
上記の構成によれば、決定部４４は、鍵装置５の各々からの指令信号（応答信号Ｓｉｇ２又は駆動要求信号Ｓｉｇ４）により電気錠２１が動作させられたか否かに関する条件により、通信部（錠側通信部４１）との接続が切断される対象鍵装置を決定する。したがって、電気錠用通信システム４の利便性が高まる。決定部４４は、例えば、鍵装置５の各々からの指令信号により電気錠２１が動作させられたか否かに関する条件から、通信部と通信する可能性が低いと判断される鍵装置５を対象鍵装置とすることができる。
【０１１１】
また、第６の態様に係る電気錠用通信システム４では、第１〜５の態様のいずれか１つにおいて、管理部４３は、通信部（錠側通信部４１）に接続されている鍵装置５の台数が第２の台数に達してから所定の時間Ｔ１経過後に、通信部に、少なくとも１つの対象鍵装置との接続を切断させる。
【０１１２】
上記の構成によれば、電気錠用通信システム４は、所定の時間Ｔ１の間に、通信部（錠側通信部４１）との接続が切断される対象鍵装置を決定する処理等を行うことができる。したがって、対象鍵装置を決定するための情報（例えば、決定部４４が所定の条件により対象鍵装置を決定する際に参照する情報）を取得すること等に要する時間を容易に確保できる。
【０１１３】
また、第７の態様に係る電気錠用通信システム４は、第１〜６の態様のいずれか１つにおいて、接続制限部４５を更に備える。接続制限部４５は、少なくとも１つの対象鍵装置と通信部（錠側通信部４１）との接続が管理部４３により切断されると、所定の復帰条件を満たすまで、少なくとも１つの対象鍵装置と通信部とが接続することを制限する。
【０１１４】
上記の構成によれば、通信部（錠側通信部４１）との接続が切断された対象鍵装置が、即座に通信部に再接続することを抑制できる。これにより、第２の台数よりも少ない台数の鍵装置５のみが通信部に接続した状態を、より確実に維持することができる。
【０１１５】
また、第８の態様に係る電気錠制御システム３は、第１〜７の態様のいずれか１つに係る電気錠用通信システム４と、電気錠制御部３１と、を備える。電気錠制御部３１は、鍵装置５から送信され通信部（錠側通信部４１）で受信された、電気錠２１を動作させるための指令信号（応答信号Ｓｉｇ２又は駆動要求信号Ｓｉｇ４）に応じて、電気錠２１を動作させる。
【０１１６】
上記の構成によれば、電気錠用通信システム４の通信部（錠側通信部４１）に未接続の鍵装置５と通信部とが接続する処理の応答性を向上させることができる。これにより、鍵装置５を用いて電気錠２１を動作させる処理をより迅速に行うことができる。
【０１１７】
また、第９の態様に係る電気錠システム２は、第８の態様に係る電気錠制御システム３と、電気錠２１と、を備える。
【０１１８】
上記の構成によれば、電気錠制御システム３の通信部（錠側通信部４１）に未接続の鍵装置５と通信部とが接続する処理の応答性を向上させることができる。これにより、鍵装置５を用いて電気錠２１を動作させる処理をより迅速に行うことができる。
【０１１９】
また、第１０の態様に係る電気錠付戸１は、第９の態様に係る電気錠システム２と、戸本体１１と、を備える。戸本体１１には、電気錠システム２が取り付けられる。
【０１２０】
上記の構成によれば、電気錠システム２の通信部（錠側通信部４１）に未接続の鍵装置５と通信部とが接続する処理の応答性を向上させることができる。これにより、鍵装置５を用いて電気錠２１を動作させる処理をより迅速に行うことができる。
【０１２１】
また、第１１の態様に係る鍵装置５は、鍵側通信部５１を備える。鍵側通信部５１は、第１〜７の態様のいずれか１つに係る電気錠用通信システム４の通信部（錠側通信部４１）に無線にて接続される。
【０１２２】
上記の構成によれば、電気錠用通信システム４の通信部（錠側通信部４１）に未接続の鍵装置５と通信部とが接続する処理の応答性を向上させることができる。
【０１２３】
また、第１２の態様に係る鍵装置５の通信方法は、電気錠用通信システム４と一緒に用いられる１つの鍵装置５の通信方法である。電気錠用通信システム４は、通信部（錠側通信部４１）を備える。通信部には、第１の台数以下の複数の鍵装置５が同時に接続可能である。鍵装置５の通信方法は、無線にて通信部に接続されるステップと、通信部との接続を切断する処理を受け付けるステップと、を備える。通信部との接続を切断する処理を受け付けるステップは、通信部に接続されている鍵装置５の台数が第２の台数に達し、かつ、通信部に接続されている第２の台数の鍵装置５のうち、通信部との接続が切断される少なくとも１つの対象鍵装置の中の１つに該当するときに実行される。第２の台数は、２以上であって第１の台数以下である。
【０１２４】
上記の構成によれば、電気錠用通信システム４の通信部（錠側通信部４１）に未接続の鍵装置５と通信部とが接続する処理の応答性を向上させることができる。
【０１２５】
また、第１３の態様に係るプログラムは、第１２の態様に係る通信方法を、鍵装置５のコンピュータシステムに実行させる。
【０１２６】
上記の構成によれば、電気錠用通信システム４の通信部（錠側通信部４１）に未接続の鍵装置５と通信部とが接続する処理の応答性を向上させることができる。
【０１２７】
第２〜７の態様に係る構成については、電気錠用通信システム４に必須の構成ではなく、適宜省略可能である。
【符号の説明】
【０１２８】
１  電気錠付戸
２  電気錠システム
３  電気錠制御システム
４  電気錠用通信システム
５  鍵装置
１１  戸本体
２１  電気錠
３１  電気錠制御部
４１  錠側通信部
４３  管理部
４４  決定部
４５  接続制限部
５１  鍵側通信部
Ｓｉｇ１  アドバタイズ信号（信号）
Ｓｉｇ２  応答信号（信号、指令信号）
Ｓｉｇ４  駆動要求信号（指令信号）
Ｔ１  所定の時間
【図１】
2019116812.tif 000003
【図２】
2019116812.tif 000004
【図３】
2019116812.tif 000005
【図４】
2019116812.tif 000006